(57)【要約】      （修正有）【課題】外部業者が利用する他方の収納区画の錠機構の鍵を本人が持たなくても、当該他方の収納区画の施錠されている扉を本人が開閉することができると共に、外部業者は前記他方の扉のみしか開閉できない開閉状況の設定方法と、この方法を実施するための構造の提供。【解決手段】収納区画に扉を有するロッカーＡにおいて一つの収納区画が仕切板４，５で少なくとも２つの区分収納区画ａ１〜ａ３に区分され、かつ、個々の区分収納区画ａ１〜ａ３に個々に開閉可能な扉６，７を設けたロッカーＡに対し、個々の扉６，７に錠機構を設けるに際して、一方の区分収納区画ａ１，ａ２の主扉６にはロッカーＡの筐体１と扉６との間でラッチ部材が扉の開閉許否作用をする第１錠機構８ａを設けると共に、他方の区分収納区画ａ３の副扉７に対しては、副扉７と主扉６との間で副扉７の開閉許否作用をするラッチ部材１０ａを備えた第２錠機構９を主扉６又は副扉７に設けた。【選択図】図１
2010159588.tif 000002
【特許請求の範囲】
【請求項１】
ロッカーやキャビネットなどの収納区画に扉を有する収納家具において一つの収納区画が仕切板で少なくとも２つの収納区画に区分され、かつ、個々の区分収納区画に個々に開閉可能な扉を設けた収納家具に対し、個々の扉に錠機構を設けるに際して、一方の区分収納区画の主扉には当該収納家具の筐体と当該扉との間でラッチ部材が扉の開閉許否作用をする第１錠機構を設けると共に、他方の区分収納区画の副扉に対しては、その副扉と前記主扉との間で当該副扉の開閉許否作用をするラッチ部材を備えた第２錠機構を前記主扉又は副扉に設けることにより、当該第２錠機構が施錠されているときは、前記第１錠機構を解錠すると、前記主扉と副扉が、第２錠機構のラッチ部材の鎖錠作用で一体化されて開閉される一方、前記第１錠機構が施錠されているとき第２錠機構が解錠されると、前記副扉のみが開閉できることを特徴とするロッカー等の分割形成された扉を一体開閉と分離開閉を選択して設定できる分割扉の選択的開閉の設定方法。
【請求項２】
第２錠機構のラッチ部材が、主扉と副扉との間で当該副扉の開閉許否作用をするため、当該第２錠機構の錠は、前記主扉又は副扉のいずれか一方の扉に設ける請求項１の設定方法。
【請求項３】
ロッカーやキャビネットなどの収納区画に扉を有する収納家具における一つの収納区画が仕切板で少なくとも２つの収納区画に区分され、かつ、個々の区分収納区画に個々に開閉可能な扉を設けた収納家具の前記扉に設けられた錠とラッチを備えた錠機構において、前記の各区分収納区画における一の収納区画の主扉には、当該主扉とその扉を支持した筐体の間に、この主扉の開閉許否作用をするラッチを備えた第１錠機構を取付け、他の収納区画の副扉又は前記主扉には、当該主扉と副扉との間で副扉の開閉許諾作用をするラッチを備えた第２錠機構を前記主扉又は副扉のいずれか一方に取付けたことを特徴とするロッカー等の分割形成された扉を一体開閉と分離開閉を選択できる分割扉の選択的開閉の設定構造。
【発明の詳細な説明】
【技術分野】
【０００１】
本発明は、例えばロッカーにおいて１人用の収納区画として少なくとも２個の複数区画を隣接して備えていると共に、隣接した当該複数区画に対し夫々に開閉可能な複数の扉が設けられている場合において、当該複数の扉を同時に開閉できるようにした状態と、個々に開閉できる状態とを、選択して設定することができる方法と、この方法を実施するための構造に関する。
【背景技術】
【０００２】
ロッカーやキャビネットなどの扉を有する収納家具において、１人用の、或は、特定書類等用の１つの収納区画が、仕切板などにより複数の区画に隣接状態で区分され、区分した複数区画に個々に開閉可能にした扉を備えたものが、特許文献１，２などにより公知である。
【０００３】
１人用の（或は１つの）収納区画を仕切板などで複数の区画、例えば２つの収納区画に区分して、個々の区画が独立して開閉可能な扉を備えていると共に、個々の扉に錠前とラッチなどからなる錠機構を備えたロッカーやキャビネットは、例えば、一方の収納区画を当該個人が専用的に収納に利用し、他方の区画をクリーニング業者や宅配業者などが本人以外の者（以下、単に「外部業者」という）が荷物（クリーニング品や宅配品など）の収納や取出しのために利用できるので、各方面で用いられる。
【０００４】
しかし、上記のような複数の扉と夫々に錠機構を備えた従来方式のものでは、個々の扉に独立した錠機構が設けられているため、他方の収納区画の扉に設けた錠機構は、外部業者と本人とがその錠を施解錠するための鍵を保持しておく必要がある。このため特に本人が当該鍵を紛失した場合には、他方の収納区画への荷物の出入れができなくなってしまう不便がある。
【特許文献１】実用新案登録第２６０４９４９号公報
【特許文献２】実用新案登録第２５９９７９９号公報
【発明の開示】
【発明が解決しようとする課題】
【０００５】
本発明は上記のような点に鑑み、外部業者が利用する他方の収納区画の錠機構の鍵を本人が持たなくても、当該他方の収納区画の施錠されている扉を本人が開閉することができると共に、外部業者は前記他方の扉のみしか開閉できない開閉状況の設定方法と、この方法を実施するための構造を提供することを課題としてなされたものである。
【課題を解決するための手段】
【０００６】
上記課題を解決することを目的としてなされた本発明方法の構成は、ロッカーやキャビネットなどの収納区画に扉を有する収納家具において一つの収納区画が仕切板で少なくとも２つの収納区画に区分され、かつ、個々の区分収納区画に個々に開閉可能な扉を設けた収納家具に対し、個々の扉に錠機構を設けるに際して、一方の区分収納区画の主扉には当該収納家具の筐体と当該扉との間でラッチ部材が扉の開閉許否作用をする第１錠機構を設けると共に、他方の区分収納区画の副扉に対しては、その副扉と前記主扉との間で当該副扉の開閉許否作用をするラッチ部材を備えた第２錠機構を前記主扉又は副扉に設けることにより、当該第２錠機構が施錠されているときは、前記第１錠機構を解錠すると、前記主扉と副扉が、第２錠機構のラッチ部材の鎖錠作用で一体化されて開閉される一方、前記第１錠機構が施錠されているとき第２錠機構が解錠されると、前記副扉のみが開閉できることを特徴とするものである。
【０００７】
上記の本発明では、上記構成おいて、第２錠機構のラッチ部材が、主扉と副扉との間で当該副扉の開閉許否作用をするため、当該第２錠機構の錠は、主扉又は副扉のいずれに設けても、前記本発明方法を実施することができる。
【０００８】
次に、上記の本発明方法を実施するための構造は、ロッカーやキャビネットなどの収納区画に扉を有する収納家具における一つの収納区画が仕切板で少なくとも２つの収納区画に区分され、かつ、個々の区分収納区画に個々に開閉可能な扉を設けた収納家具の前記扉に設けられた錠とラッチを備えた錠機構において、前記の各区分収納区画における一の収納区画の主扉には、当該主扉とその扉を支持した筐体の間に、この主扉の開閉許否作用をするラッチを備えた第１錠機構を取付け、他の収納区画の副扉又は前記主扉には、当該主扉と副扉との間で副扉の開閉許諾作用をするラッチを備えた第２錠機構を前記主扉又は副扉のいずれか一方に取付けたことを特徴とするものである。
【発明の効果】
【０００９】
本発明では、ロッカーやキャビネットなどの収納区画に扉を有する収納家具において一つの収納区画が仕切板で少なくとも２つの収納区画に区分され、かつ、個々の区分収納区画に個々に開閉可能な扉を設けた収納家具に対し、個々の扉に錠機構を設けるに際して、一方の区分収納区画の主扉には当該収納家具の筐体と当該扉との間でラッチ部材が扉の開閉許否作用をする第１錠機構を設けると共に、他方の区分収納区画の副扉に対しては、その副扉と前記主扉との間で当該副扉の開閉許否作用をするラッチ部材を備えた第２錠機構を前記主扉又は副扉に設けることにより、当該第２錠機構が施錠されているときは、前記第１錠機構を解錠すると、前記主扉と副扉が、第２錠機構のラッチ部材の鎖錠作用で一体化されて開閉される一方、前記第１錠機構が施錠されているとき第２錠機構が解錠されると、前記副扉のみが開閉できるようにしたので、一の区分収納区画を使用する本人が、外部業者が使用する他の区分収納区画の副扉を開閉するための第２錠機構の鍵を持たなくても、当該副扉を、前記主扉と一体に開閉することができる一方、外部業者は第２錠機構の鍵で解錠しても、前記副扉だけしか開閉することはできない。
【発明を実施するための最良の形態】
【００１０】
次に、本発明の実施の形態例について、図を参照して説明する。図１は本発明方法を一例として適用した３人用ロッカーの正面図、図２は図１のロッカーの側面図、図３は副扉におけるラッチ受部の別例を説明するための斜視図、図４は本発明方法を適用した異形収納区画を有する２人用ロッカーの正面図である。
【００１１】
図１，図２においてＡは、本発明の一例を適用する３人用ロッカーで、１つのロッカー筐体１が２枚の縦隔壁（仕切壁）２と３で、３人用の収納区画ａ，ｂ，ｃに形成されていると共に、当該３つの１人用区画ａ，ｂ，ｃは、上方棚板４と下方の棚板５によって、例えば１つの区画ａについていうと、中央区画a1、上部区画a2、下部区画a3と３つの区画に分けられている。なお、51は、下部区画a3の自在棚板である。
因みに、残りの１人用の各区画ｂ，ｃとも、上記区画ａと同様に、３つの区画b1，b2，b3、同c1，c2，c3の区画に分けられている。
【００１２】
上記３人用の３つの区画ａ，ｂ，ｃは、いずれも、区画ａについて説明すると、中央区画a1と上部区画a2に対して開閉される主扉６と、下部区画a3に対して開閉される副扉７とが、両扉６，７の下端と上端が隣接する態様で、同じ側のヒンジ（図の例では右側）により、同じ方向で開閉されるように設けられている。区画ｂには主扉61と副扉71が、区画ｃには、主扉62と副扉72とが、それぞれ上記例区画ａにおける主扉６，副扉７と同様の態様で取付けられている。
【００１３】
夫々の主扉６，61，62には、高さ方向中間位置の左側に、それぞれ錠機構8a，81a，82aを備えた引手８，81，82が設けられ、各錠機構8a，81a，82aの施解錠動作により、図示しないラッチ部材が筐体１の側に設けたラッチ受け（図示せず）に出没し、これにより各主扉６，61，62は夫々にその開閉許否が設定されるようになっている。
【００１４】
一方、各副扉７，71，72に対しては、各主扉６，61，62の左側下部に夫々に設けた錠機構９，91，92の各ラッチ部材10a，10b，10cが、当該各錠機構９，91，92の施解錠動作により、各副扉７，71，72の左側上端部に設けたラッチ受け11a，11b，11cに出没することにより、各副扉７，71，72が対応する各主扉６，61，62に対して夫々に開閉許否が設定されるようになっている。なお、上記のラッチ受け11a〜11cは、図３に例示するように副扉72の上部辺を折曲げ形成した上面72aに形成した長穴状のラッチ受け11c´のような形態のものであってもよい。
【００１５】
いま、各副扉７，71，72に対する夫々のラッチ部材10a，10b，10cが垂下姿勢にあってラッチ受け11a，11b，11cに入っているときを施錠位置として設定すると、各副扉７，71，72は、対応する各主扉６，61，62が施錠されていることを条件に、開扉することはできない。
【００１６】
上記の状態において、各主扉６，61，62の錠機構81a，82a，83aが解錠されると、各副扉７，71，72は、前記の各主扉６，61，62に、それぞれラッチ部材10a，10b，10cがラッチ受け11a，11b，11cに入っていることによる作用で両扉が一体化されているので、各主扉６，61，62と対応する各副扉７，71，72とは一体状態での開閉が許容される設定状態になる。
【００１７】
他方、主扉６，61，62の各錠機構8a，81a，82aが施錠状態にあるとき、各副扉７，71，72の錠機構９，91，92が解錠されると、各副扉７，71，72のみが、それぞれに開閉自在の設定状態になる。
【００１８】
本発明方法では、上記の主扉６，61，62と副扉７，71，72における各錠機構8a，81a，82aと同９，91，92による施解錠の設定状態の選択によって、上記のように、各主扉６，61，62と対応する副扉７，71，72とを、一体に開閉できる状態と、副扉のみを開閉できる状態とを、選択的に設定することができるので、各副扉７，71，72の夫々の錠機構９，91，91の鍵は、外部業者のみが保持していれば足りる。
【００１９】
例えば、主扉６と副扉７が夫々の錠機構8a，９で施錠されているとき、副扉７の区画a3に、発送したい宅配物やクリーニングに出したい衣服などを収容したいこのロッカーの区画a1，a2の使用者は、自分が持つ錠機構8aの鍵で当該錠機能8aを解錠すれば、主扉６と副扉７とを一体に開けることができるので、施錠されているが主扉６と一体に開けられる副扉７を備えた区画a3に、前記物品を収容して、そのまま両扉６，７を一体に閉じて上記錠機構8aを施錠することにより、両扉６，７を施錠状態、つまり開扉不能に設定することができる。
【００２０】
一方、外部業者は、前記発送物やクリーニング品を引取ったり、或は、配達したい品物を、施錠されている副扉７を備えた区画a3から出したり、その区画a3に収納する場合には、当該副扉７用の錠機構９を自分が持つ鍵で解錠と施錠をすることにより、当該副扉７のみの開閉を行うことができる。
【００２１】
上記の説明は、図１，図２に例示した一般的な３人用ロッカーについて説明したものであるが、本発明は、異形収納区画に設けた主扉と副扉により１人用の区画が少なくとも２つに区分されて２つの扉を有する、ここでは２人用ロッカーやキャビネットにも適用することができる。なお、図４において、図１〜図３に用いた符号と同一符号は同一部材、同一部位を示すものとする。
【００２２】
また、収納区画や扉の向きは実施例のように縦長のものに限られず、横長の収納区画や横長の扉を有するキャビネットなどの収納家具にも本発明を適用することができる。
【産業上の利用可能性】
【００２３】
本発明は以上の通りであって、ロッカーやキャビネットなどの収納区画に扉を有する収納家具において一つの収納区画が仕切板で少なくとも２つの収納区画に区分され、かつ、個々の区分収納区画に個々に開閉可能な扉を設けた収納家具に対し、個々の扉に錠機構を設けるに際して、一方の区分収納区画の主扉には当該収納家具の筐体と当該扉との間でラッチ部材が扉の開閉許否作用をする第１錠機構を設けると共に、他方の区分収納区画の副扉に対しては、その副扉と前記主扉との間で当該副扉の開閉許否作用をするラッチ部材を備えた第２錠機構を前記主扉又は副扉に設けることにより、当該第２錠機構が施錠されているときは、前記第１錠機構を解錠すると、前記主扉と副扉が、第２錠機構のラッチ部材の鎖錠作用で一体化されて開閉される一方、前記第１錠機構が施錠されているとき第２錠機構が解錠されると、前記副扉のみが開閉できるようにしたので、外部業者が使用する区画の副扉用の錠機構の鍵を本人が持つ必要がなく、それでも、本人のみは主扉の施解錠によって副扉を主扉と一体に開閉できるから、外部業者が使用する区画を設けたロッカーの使用上を安全裡に利用できる上で至って便利である。
【００２４】
従って、従来は、各人向けの宅配品の受発送，クリーニング品の発注，納品のため、専用のロッカーを作って設置していたが、その設置を、各個人用のロッカー区画の一部に形成することができるので、多人数用のロッカー設備と外部業者用の専用ロッカー設備とを要していた設備スペースを大幅に縮小できるメリットがある。
【図面の簡単な説明】
【００２５】
【図１】本発明方法を適用した３人用ロッカーの正面図。
【図２】図１のロッカーの側面図。
【図３】副扉におけるラッチ受部の別例を説明するための斜視図。
【図４】本発明方法を適用した異形収納区画を有する２人用ロッカーの正面図。
【符号の説明】
【００２６】
Ａ              ロッカー
１              筐体
２，３          縦仕切壁
４，５          横仕切壁
６，61，62      主扉
７，71，72      副扉
8a，81a，82a    主扉の錠機構
９，91，92      副扉の錠機構
10a，10b，10c    錠機構９，91，92のラッチ部材
11a，11b，11c    ラッチ受部
【図１】
2010159588.tif 000003
【図２】
2010159588.tif 000004
【図３】
2010159588.tif 000005
【図４】
2010159588.tif 000006